(57)【要約】【課題】新聞や雑誌等の電子情報を表示するに際し、一目で記事の重要度や話題性が把握でき、しかも記事内容の把握が容易で、詳しく読みたい記事のみを容易に選択すること、選択された記事を全文表示させることを目的とする。【解決手段】複数の記事毎に区画された領域を有する紙面のイメージ情報であって、記事毎の領域は、記事の重要度によりその面積と配置が決定され、当該領域には、記事の見出し及び記事本文の一部が可読に表示される、紙面の全面情報画面６０を表示部２に表示し、操作者の操作部６を介しての全面情報画面６０の記事毎に区画された領域６００の指定に応じて、全面情報画面６０の記事毎に夫々関連付けられた、記事毎に全文が表示される記事毎の全文情報画面７０を表示部２に表示する電子情報表示装置。【選択図】図５
2010165120.tif 000002
【特許請求の範囲】
【請求項１】
複数の記事毎に区画された領域を有する紙面のイメージ情報であって、記事の重要度によりその面積と配置が決定されている記事毎の領域情報と、当該領域に表示される、記事の見出しの情報及び記事本文の一部の情報を含む紙面の全面情報データと、該紙面の全面情報データの記事毎に夫々関連付けられた当該記事の全文の情報を含む記事毎の全文情報データを含む記事電子データを入出力する入出力部と、
複数の記事毎に区画された領域を有する紙面のイメージ情報であって、記事毎の領域は、記事の重要度によりその面積と配置が決定され、当該領域には、記事の見出し及び記事本文の一部が可読に表示される、紙面の全面情報画面と、前記全面情報画面の記事毎に夫々関連付けられた、記事毎に全文が表示される記事毎の全文情報画面を表示する表示部と、
前記紙面の全面情報データと前記記事毎の全文情報データを含む記事電子データを記録する記録部と、
表示部の表示を指示する操作を入力する操作部と、
前記操作部からの指示に応じて、前記紙面の全面情報画面又は記事毎の前記全文情報画面を前記表示部に表示させる表示処理手段
とを備えたことを特徴とする電子情報表示装置。
【請求項２】
前記紙面の全面情報画面の記事毎に区画された領域の指定に応じて、前記表示処理手段が、前記表示部に当該領域の記事の全文情報画面を表示させることを特徴とする請求項１に記載の電子情報表示装置。
【請求項３】
前記表示部において、前記紙面の全面情報画面上には、操作者のページ指定を促すインデックス表示画面が表示され、インデックス表示画面で指定されたページに応じて、前記表示処理手段が、前記表示部に該当ページの全面情報画面を表示させることを特徴とする請求項１又は２に記載の電子情報表示装置。
【請求項４】
通信ネットワークを介して送信された前記記事電子データを受信する手段を備えることを特徴とする請求項１から３のうちいずれか１項に記載の電子情報表示装置。
【請求項５】
電子情報記録媒体に記録された前記記事電子データを取得する手段を備えることを特徴とする請求項１から４のうちいずれか１項に記載の電子情報表示装置。
【請求項６】
前記記事電子データには、紙面の全面情報データ又は／及び記事毎の全文情報データに含まれる予め定められた語句の語句説明データが含まれ、前記記録部には、前記語句説明データが記録され、前記表示部は、前記表示処理手段の指示に従い、語句説明画面の表示を行なうことを特徴とする請求項１から５のうちいずれか１項に記載の電子情報表示装置。
【請求項７】
前記記事電子データには、紙面の全面情報データ又は／及び記事毎の全文情報データに含まれる予め定められた漢字のふりがなデータが含まれ、前記記録部には、前記ふりがなデータが記録され、前記表示部は、前記表示処理手段の指示に従い、全面情報画面又は／及び全文情報画面で表示された漢字のふりがなの表示を行なうことを特徴とする請求項１から６のうちいずれか１項に記載の電子情報表示装置。
【請求項８】
複数の記事毎に区画された領域を有する紙面のイメージ情報であって、記事毎の領域は、記事の重要度によりその面積と配置が決定され、当該領域には、記事の見出し及び記事本文の一部が可読に表示された、紙面の全面情報画面を表示部に表示するステップと、
前記紙面の全面情報画面の記事毎に区画された領域の指定を受け付けるステップと、
前記領域の指定に従って、前記指定された領域の記事に関連付けられた、記事毎に全文を表示した記事毎の全文情報画面を表示部に表示するステップとを備えることを特徴とする電子情報表示方法。
【請求項９】
前記紙面の全面情報画面に、操作者のページ指定を促すインデックス表示画面を表示するステップと、
ページ指定を受け付けるステップと、
ページ指定に応じた該当ページの全面情報画面を表示するステップと、を備えることを特徴とする請求項８に記載の電子情報表示方法。
【請求項１０】
操作者の語句指定に応じて、語句説明画面を表示するステップと、を備えることを特徴とする請求項８又は９に記載の電子情報表示方法。
【発明の詳細な説明】
【技術分野】
【０００１】
本発明は、新聞や雑誌等の電子情報を表示する電子情報表示装置及び電子情報表示方法に関する。
【背景技術】
【０００２】
様々な情報が掲載される新聞や雑誌等は、従来から主に紙媒体を用いて構成されているが、通信ネットワークや情報処理装置の普及、発達に伴い、新聞や雑誌等の電子情報を、パーソナルコンピュータ等の情報処理装置や携帯電話等の携帯型情報処理装置に取り込み、ディスプレイに記事情報を表示して、記事を読むことも行われている。
【０００３】
そして、例えば、新聞サイト等においては、テキスト形式の見出しを列挙して表示し、選択された見出しにリンクされた該見出しの記事本文を表示することが行なわれている。
【０００４】
一方、紙媒体の新聞や雑誌等では、記事の重要度や今現在の話題性に応じて、重要な記事や話題性のある記事は大きなスペースを割いて記事を長く記載したり、見出しを大きくしたりして、レイアウトを行い、一目見て、重要な記事、話題性のある記事を把握することが出来るように構成され、紙面レイアウトは重要な意味を有している。
【０００５】
従って、上記新聞サイト等の従来技術では、記事の重要度が全くわからないという問題点があった。又、見出しだけでは記事の内容が充分に把握できず、余計な記事本文を表示させてしまうことがあるという問題点があった。
【０００６】
一方で、新聞や雑誌の紙面をレイアウトをそのままにして電子化してディスプレイに表示した場合、実際の紙面より小さい画面上に表示することとなるので、文字が小さくなり読むことが出来なくなる。
【０００７】
そこで、実際の紙面のレイアウトをそのまま表示すると共に、各記事に対応する記事マークを表示させ、表示された記事マークの中から所望の記事マークが選択されると、その記事マークが表示された記事に関連付けられた記事内容情報の画像が表示される技術が提案されている（例えば、特許文献１参照。）。
【０００８】
又、実紙面の新聞イメージの画像を表示画面上に表示し、新聞イメージの画像の一部を部分的に拡大、縮小して表示画面上に表示する技術が提案されている（例えば、特許文献２参照。）。
【０００９】
更に、新聞紙面から可読な見出し情報のみを新聞紙面上の配置のまま電子データで表示し、ユーザーにより前記可読な見出し情報が選択的に指定された時に、前記見出し情報と関連付けられた記事情報を可読的な表示データとして表示装置上に表示する技術が提案されている（例えば、特許文献３参照。）。
【００１０】
【特許文献１】特開２００４−１３９３９９号公報
【特許文献２】特開２００７−３２３３６９号公報
【特許文献３】特開２００２−２３６７０１号公報
【発明の開示】
【発明が解決しようとする課題】
【００１１】
しかし、特許文献１及び２記載の従来技術では、実際の紙面のレイアウトがそのまま、小さな表示部に表示されているので、文字が小さくなり、大きな見出しの文字でも読むことが困難で、内容部分は全く読めず、記事の選択が困難であるという問題点を有していた。
【００１２】
又、特許文献２記載の従来技術では、拡大される部分に、複数の記事が含まれ、しかもそれらの記事の一部のみが含まれている場合があり、又、所望の記事のみを拡大させることが出来ず、極めて読みにくいという問題点があった。
【００１３】
又、特許文献３記載の従来技術では、見出しのみ表示されるが、見出しだけでは記事の内容が充分に把握できず、記事の選択が容易ではないという問題点や、所望しない余計な記事本文を表示させてしまうことがあるという問題点があった。
【００１４】
更に、上記従来技術等の新聞や雑誌等の記事情報が掲載された電子情報では、記事中の漢字に予めふりがながふってあるものや、全くふりがながふられていないものがあったが、読者によっては、ふりがながあったほうがよく、ない場合には読めない人、ないほうが読み易い人がおり、予めふりがなの有無が決まっている場合には、人によっては読み難く、或いは意味がわからない場合もあるといった問題点があった。
【００１５】
そこで、本発明は、新聞や雑誌等の電子情報を表示するに際し、ページごとに記事の一覧が把握できると共に、一目で記事の重要度や話題性が把握でき、しかも記事内容の把握が容易で、詳しく読みたい記事のみを容易に選択すること、選択された記事を全文表示させることを目的とする。又、全文表示された記事を読みやすくすること、どのような読者に対しても記事を読みやすくすることを目的とする。
【課題を解決するための手段】
【００１６】
上記課題を解決するための手段としての本発明は、複数の記事毎に区画された領域を有する紙面のイメージ情報であって、記事の重要度によりその面積と配置が決定されている記事毎の領域情報と、当該領域に表示される、記事の見出しの情報及び記事本文の一部の情報を含む紙面の全面情報データと、該紙面の全面情報データの記事毎に夫々関連付けられた当該記事の全文の情報を含む記事毎の全文情報データを含む記事電子データを入出力する入出力部と、複数の記事毎に区画された領域を有する紙面のイメージ情報であって、記事毎の領域は、記事の重要度によりその面積と配置が決定され、当該領域には、記事の見出し及び記事本文の一部が可読に表示される、紙面の全面情報画面と、前記全面情報画面の記事毎に夫々関連付けられた、記事毎に全文が表示される記事毎の全文情報画面を表示する表示部と、前記紙面の全面情報データと前記記事毎の全文情報データを含む記事電子データを記録する記録部と、表示部の表示を指示する操作を入力する操作部と、前記操作部からの指示に応じて、前記紙面の全面情報画面又は記事毎の前記全文情報画面を前記表示部に表示させる表示処理手段とを備えたことを特徴とする電子情報表示装置である。
【００１７】
新聞や雑誌等の情報において、通常は、見出しのみでは、その記事の内容が充分には把握できない場合もあり、記事の本文を数十文字或いは数百文字程度読んで大雑把な内容を把握することが出来る場合が多い。逆に記事の本文を数十文字或いは数百文字程度読んで大雑把な内容を把握出来れば、詳細な内容を読まなくてもいい場合もある。上記本発明によれば、紙面の全面情報画面では、記事毎の領域は、記事の重要度によりその面積と配置が決定されているので、一目で記事の重要度や話題性が把握でき、又、記事毎の領域に記事の見出し及び記事本文の一部が可読に表示されるので、記事の大雑把な内容を把握することが出来、更に詳しく読むか、読む必要がないかの判断が容易で、詳しく読みたい記事のみを容易に選択することが可能となる。特に紙面のイメージ情報である紙面の全面情報画面には、紙媒体で表示される紙面の１頁或いは見開き２頁分の情報が表示され、紙面の縮小版といえる構成で表示され、頁ごとに記事の一覧が把握でき、記事のジャンル毎に頁が構成されていることにより、一目で記事の重要度や話題性が把握できる。
【００１８】
又、上記電子情報表示装置において、前記紙面の全面情報画面の記事毎に区画された領域の指定に応じて、前記表示処理手段が、前記表示部に当該領域の記事の全文情報画面を表示させることを特徴とする電子情報表示装置である。
【００１９】
又、上記電子情報表示装置において、前記表示部において、前記紙面の全面情報画面上には、操作者のページ指定を促すインデックス表示画面が表示され、インデックス表示画面で指定されたページに応じて、前記表示処理手段が、前記表示部に該当ページの全面情報画面を表示させることを特徴とする電子情報表示装置である。
【００２０】
又、上記電子情報表示装置において、通信ネットワークを介して送信された前記記事電子データを受信する手段を備えることを特徴とする電子情報表示装置である。
【００２１】
又、上記電子情報表示装置において、電子情報記録媒体に記録された前記記事電子データを取得する手段を備えることを特徴とする電子情報表示装置である。
【００２２】
又、上記電子情報表示装置において、前記記事電子データには、紙面の全面情報データ又は／及び記事毎の全文情報データに含まれる予め定められた語句の語句説明データが含まれ、前記記録部には、前記語句説明データが記録され、前記表示部は、前記表示処理手段の指示に従い、語句説明画面の表示を行なうことを特徴とする電子情報表示装置である。
【００２３】
又、上記電子情報表示装置において、前記記事電子データには、紙面の全面情報データ又は／及び記事毎の全文情報データに含まれる予め定められた漢字のふりがなデータが含まれ、前記記録部には、前記ふりがなデータが記録され、前記表示部は、前記表示処理手段の指示に従い、全面情報画面又は／及び全文情報画面で表示された漢字のふりがなの表示を行なうことを特徴とする電子情報表示装置である。
【００２４】
更に、複数の記事毎に区画された領域を有する紙面のイメージ情報であって、記事毎の領域は、記事の重要度によりその面積と配置が決定され、当該領域には、記事の見出し及び記事本文の一部が可読に表示された、紙面の全面情報画面を表示部に表示するステップと、前記紙面の全面情報画面の記事毎に区画された領域の指定を受け付けるステップと、前記領域の指定に従って、前記指定された領域の記事に関連付けられた、記事毎に全文を表示した記事毎の全文情報画面を表示部に表示するステップとを備えることを特徴とする電子情報表示方法である。
【００２５】
又、上記電子情報表示方法において、前記紙面の全面情報画面に、操作者のページ指定を促すインデックス表示画面を表示するステップと、ページ指定を受け付けるステップと、ページ指定に応じた該当ページの全面情報画面を表示するステップと、を備えることを特徴とする電子情報表示方法である。
【００２６】
又、上記電子情報表示方法において、操作者の語句指定に応じて、語句説明画面を表示するステップとを備えることを特徴とする電子情報表示方法である。
【発明の効果】
【００２７】
以上のような本発明によれば、新聞や雑誌等の電子情報を読むにあたって、ページごとに記事の一覧が把握できると共に、一目で記事の重要度や話題性が把握でき、しかも記事内容の把握が容易で、詳しく読みたい記事のみを容易に選択すること、選択された記事を全文表示させることが可能となった。又、全文表示された記事を読みやすくすることが可能となった。
【発明を実施するための最良の形態】
【００２８】
以下本発明の実施形態を図に従って説明する。図１は電子情報表示装置１の構成を示す概略図であり、電子情報表示装置１は紙面の全面情報画面６０、全文情報画面７０、語句説明画面等の画面を表示する表示部２と、紙面の全面情報データ及び記事毎の全文情報データを直接或いは通信手段を介して入出力する入出力部３と、プログラム上に形成された各種処理を行う処理部４と、制御部１０により実行される各種プログラム、紙面の全面情報データ及び記事毎の全文情報データを含む記事電子データを記録する記録部５と、操作者の操作情報を入力する操作部６と、記録部５に形成されている紙面の全面情報データファイル５１及び記事毎の全文情報データファイル５２と、データ処理の制御を行う制御部１０を備えて構成されている。制御部１０は記録部５に記録されているプログラムを実行することで各部を制御する。尚、紙面とは、複数の記事を有する新聞や雑誌等の紙面をいう。
【００２９】
処理部４は、表示部２に出力する画面を生成し、表示させる、詳しくは、操作部６からの指示に応じて、紙面の全面情報画面６０又は記事毎の前記全文情報画面７０等を表示部２に表示させる表示処理手段４１、入出力部３から入力されたデータをデータ記録部５に記録する記録実行手段４２を含む。処理部４は制御部１０の制御のもとで、操作部６を介した操作者の指示に応じて記事に関する情報等を処理する。
【００３０】
又、インターフェイスケーブル、ＬＡＮ、イントラネット、インターネット等のネットワーク７１を介して新聞社や雑誌社等のホストサーバー７２、他のコンピュータ等の電子情報表示装置１…との間で記事電子データの送受信を行う手段たる外部インターフェイス部７を備えている。
【００３１】
記事電子データには、少なくとも、複数の記事毎に区画された領域を有する紙面１ページ或いは見開きの２ページのイメージ情報であって、記事毎の領域は、記事の重要度によりその面積と配置が決定されている記事毎の領域情報と、当該記事毎の領域に表示される、記事の見出しの情報及び記事本文の少なくとも一部の情報を含む紙面の全面情報データと、全面情報データの記事毎に夫々関連付けられた当該記事本文の全文の情報を含む記事毎の全文情報データが含まれている。更に、記事電子データには、全面の記事毎に各記事毎の座標情報、全文情報のファイル名が関連付けられた全文検索テーブルが含まれる。
【００３２】
紙面の全面情報データには、複数ページ分のデータが含まれ、例えば、各ページは、「トップ」「政治」、「経済」、「社会」、「国際」、「スポーツ」、「文化」、「芸能」、「科学」、「環境」、「暮らし」、「地域」、「イベント」、「おすすめ」等様々なジャンルの記事毎に構成されている。
【００３３】
記録部５に記録された紙面の全面情報データファイル５１には、紙面の全面情報データが記録され、記事ごとの全文情報データファイル５２には、紙面の全面情報データファイル５１に記録された全面情報データの記事ごとに夫々関連付けられて、全文情報データが記録されている。尚、記事の全文とは、記事本文の全ての文字情報に限定されず記事に関連する写真情報も含まれる。又、記事本文の少なくとも一部の情報とは、記事本文の全ての文字情報のうち、１文字目から所定の文字数で構成してもよく、記事本文の全ての文字情報の要約文でもよい。更に、記事本文の少なくとも一部の情報には、文字情報に限定されず記事に関連する写真情報も含まれる。
【００３４】
又、記録部５には、図１４に示すように、紙面の全面情報画面における各記事毎の領域の座標情報、当該記事の全文が記録された全文情報データのファイル名が関連付けられた全文検索テーブルファイル５３が記録され、紙面の全面情報データファイル５１の記事毎の全文情報データが夫々関連付けられている。尚、このようなテーブル構成が全文情報データファイル５２内に格納されていてもよい。
【００３５】
これらの全面情報データ及び全文情報データは画像ファイルデータであり、例えばアドビシステムズ社のフラッシュで処理されるフラッシュ画像のデータ等で実現可能である。尚、これらのデータは文字列をコード化したコード情報や画像データの組み合わせであってもよく、この場合、紙面毎の全面情報データ及び記事毎の全文情報データは、夫々画面に表示される領域と各データが関連付けられてデータ化されている。画像データは静止画像データでも動画像データでもよく、又、全面情報データファイル５１や全文情報データファイル５２内に格納してもよいが、他のファイルに格納し、他のデータと関連付けてデータ記憶部５に記憶させてもよい。
【００３６】
更に、データ記録部５には、全面情報画面６０又は／及び全文情報画面７０で表示される予め定められた当該記事内のキーワード等の語句の説明をする語句説明データを、夫々の語句に関連付けて記録することとしてもよい。
【００３７】
このように記事電子データには、紙面の全面情報データ、記事毎の全文情報データ、全文検索テーブルが含まれ、語句説明データが含まれることもある。
【００３８】
このような電子情報表示装置１は図２に示すようなコンピュータ等の情報処理装置を利用してプログラム（ソフトウエア）により実現することが可能である。このコンピュータは、制御部１０のハードウェア資源として働き、コンピュータを制御するＣＰＵ１１、ＲＯＭやＲＡＭを含んで構成されるメモリ１２、表示部２としてのディスプレイ１３、表示部２の表示を指示する操作を入力する操作部６としてのタッチパネル１４、マウス１５又はキーボード１６、コンピュータと協働して処理部４の各手段として機能するデータ記録部５に記録されたアプリケーションプログラム、データ記録部５としてのハードディスク１７、磁気テープ、磁気ディスク、光ディスク、光磁気ディスク、メモリーカード、ＵＳＢメモリ等の各種情報記録媒体の読み書きの為の媒体読み書き装置１８、外部インターフェイス部７として働く通信インターフェイス１９等からなり、これらがバス１１０を介して接続されている。その他このコンピュータは、図示しないオペレーティングシステム（ＯＳ）、ブラウザを備え、更にフラッシュ等のプラグインや電子メールソフトウェア等を備えてもよい。
【００３９】
このようなコンピュータを電子情報表示装置１の構成手段として機能させるためのアプリケーションプログラムやデバイスドライバ等の各種プログラム及び紙面の全面情報データ、記事毎の全文情報データ等の記事情報データ等は、電子情報記録媒体に記録された前記記事電子データを取得する手段となる媒体読み書き装置１８又は前記記事電子データを受信する手段となる通信インターフェイス１９を通じて入出力部３により取り込まれてハードディスク１７に蓄積、形成され、各種プログラムは必要に応じてハードディスク１７からメモリ１２にロードされ、ＣＰＵ１１により実行される。そして、このようなプログラムに従い上記のハードウェア資源を作動して、上記各部、各種手段としての機能を発揮するようにしている。
【００４０】
図４は、電子情報表示装置１の一実施形態を示す携帯型表示装置２０を示す図である。携帯型表示装置２０は、ＣＰＵ１１その他のハードウェア資源を内蔵した薄板状の筐体２１，２２が軸２３により互いに回動自在に軸支され、紙媒体の新聞や雑誌等のように開閉自在に構成されている。筐体２１，２２には、液晶等からなる、表示部２としてのディスプレイ２１０，２２０が構成されている。ディスプレイ２１０，２２０に新聞や雑誌等の見開き２ページに該当する紙面の全面情報画面６０を表示させることにより、紙媒体の新聞や雑誌等を見開いて見た状態と同様に表示させることが出来る。
【００４１】
全面情報画面６０は、図５に示すように、複数の記事毎に区画された領域６００を有する紙面のイメージ情報であって、記事毎の領域６００は、記事の重要度や話題性によりその面積と配置が決定され、当該記事毎の領域６００には、記事の見出し６０１及び記事本文の少なくとも一部６０２が可読に表示される画面である。勿論画像６０５も表示可能である。全面情報画面６０は、紙媒体で表示される場合に、紙面の１頁或いは見開き２頁で表示される情報が、記事毎に一部省略或いは要約されて掲載され、即ち、紙面の縮小版といえる構成で表示され、ページごとに記事の一覧が把握でき、記事のジャンル毎にページが構成されていることにより、一目で記事の重要度や話題性が把握できる。又、全面情報画面６０は、紙面の縮小版といえる構成で表示されるので、紙媒体での紙面と同様なレイアウトを採用することが出来、全面情報データファイル５１の作成に当っては、紙媒体の頁作成時のデータを、記事毎の面積や配置が一部変更されるものの、レイアウト等を含め、多くの部分を利用でき、全面情報データファイル５１の作成が極めて容易である。
【００４２】
記事本文の少なくとも一部６０２には、当該記事の大雑把な内容を把握することが出来る程度、記事の内容にもよるが、少なくとも記事の本文のうち数十文字から百数十文字、重要な記事であれば、百数十文字から数百文字が表示される。尚、記事本文の少なくとも一部６０２には、全文情報画面７０で表示される全文記事の冒頭部分から途中までの一部を表示してもよく、全文情報画面７０で表示される全文記事の要約を表示してもよい。
【００４３】
又、全文情報画面７０は、図６に示すように、全面情報画面６０の記事毎に夫々関連付けられた、記事毎に全文が表示される画面であり、全面情報画面６０に表示された記事のうち、ユーザーにより選択された記事の見出し７０１及び記事の全文７０２が可読に表示される画面である。勿論画像７０５も表示可能である。記事中の画像７０５は、全面情報画面６０における当該記事中の画像６０５と同サイズでもよく、拡大してもよい。又、全文情報画面７０においては、全面情報画面６０に表示されなかった画像を表示してもよい。全文情報画面７０は、１の記事情報のみ表示し、他の記事の情報は全く表示されず、全面情報画面６０における当該記事のレイアウトとは異なり、列、段が整理されて、読みやすく構成されている。全文情報画面７０は、ディスプレイ２１０，２２０の両面に表示するが、いずれか一面にのみ表示することとしてもよい。
【００４４】
ディスプレイ２１０，２２０上には、タッチパネル２１１，２２１が重ねて設置されている。ユーザーは、後述するように、紙面の全面情報画面６０にある複数の記事のうち、全文を読みたい記事の領域６００を、タッチペン或いは指を用いてタッチパネル２１１，２２１にタッチすることで、当該記事の全文情報画面７０を表示させ、当該記事の全文を読むことが出来る。
【００４５】
尚、紙面の全面情報画面６０にある複数の記事のうち、全文を読みたい記事の領域６００を、指定する方法として、操作部６として十文字キー、マウス１５等のポインティングデバイスやキーボード１６の操作キー等を設け、これらを操作してカーソルを移動させ、指定したい箇所にカーソルを移動させ、所定の操作キーをクリックすることにより行なう構成とすることも出来る。
【００４６】
筐体２１の適宜箇所、例えば下側端部には、図４に示すように、通信インターフェイス１９としてのＵＳＢポート１９０が設けられ、図示しないＵＳＢケーブルを介してインターネット等のネットワーク７１に接続し、記事電子データの送受信を行うことが出来る。
【００４７】
又、図示はしないが、筐体２１又は筐体２２には、ＣＤやＵＳＢメモリ等の各種電子情報記録媒体との記事電子データを読み書きする為の媒体読み書き装置１８としてのＣＤドライブやＵＳＢポートを設けることとしてもよい。このような構成とすることで、インターネット等のネットワーク７１に接続することなく、各種電子情報記録媒体に記事電子データを記録させること、記事電子データを記録させた各種電子情報記録媒体から記事電子データを取得することが出来る。
【００４８】
更に、筐体２１の適宜箇所、例えば上側端部には、外部インターフェイス部７の１つとしての有線無線通信ポートの１具体例としての、赤外線ポート１９１を設けることとしてもよい。このような構成とすることで、インターネット等のネットワーク７１に接続することなく、赤外線ポートを有する他の携帯型表示装置２０等の電子情報表示装置１から記事電子データを取得すること、又はそのような電子情報表示装置１に記事電子データを送信が出来る。
【００４９】
このように、電子情報表示装置１は記事電子データを一括して取得し、記録部５に記録するので、現在表示されている画面と別の画面を表示する際に、ネットワーク７１に接続し、別の画面のデータを取得する必要がないので、画面間の移動がスムーズで時間がかからず、ストレスがなく、記事を読むことが出来る。又、一括して取得した記事電子データのみが記録されているので、情報量が有限であり、じっくり記事を読むことが出来る。
【００５０】
又、携帯型表示装置２０のように、記事の電子情報を表示する機能に特化した携帯型の端末という構成により、携帯電話でニュースを閲覧している最中に、電話やメールで中断されてしまうことや、携帯電話の画面が小さく読みにくいこと、更にはニュースの全文を読むために、複数回の接続が必要で、接続時間が多く、読み難いといった多機能を備える端末における個々の機能性の低下を回避することが出来る。
【００５１】
尚、電子情報表示装置１としては、汎用のパーソナルコンピュータ、ＰＤＡや携帯電話等の携帯型情報処理端末等を用いることが出来る。又、このような装置を用いる場合、全面情報画面６０は、紙面の見開き２ページを表示する画面ではなく、適宜電子情報表示装置１の表示部２の形態に応じて、１ページ分を表示する画面としてもよい。
【００５２】
記事電子データを配信するための記事電子データ配信システムの一例としては、図３に示すような記事電子データ配信システム１００を採用することが出来る。記事電子データ配信システム１００は、インターネット等のネットワーク７１、該ネットワークに接続された新聞社や雑誌社等のホストサーバー７２及び電子情報表示装置１を備えて構成され、ホストサーバー７２から記事電子データが、電子情報表示装置１に配信される。
【００５３】
図９は電子情報表示装置１における処理の概略の流れを示す図である。電子情報表示装置１は、ホストサーバー７２へ記事電子データの配信を要求し（Ｓ１０１）、ホストサーバー７２から記事電子データを取得し（Ｓ１０２）、記事電子データを記録し（Ｓ１０３）、全面情報画面６０を表示し（Ｓ１０４）、全文情報画面７０を表示する（Ｓ１０５）。
【００５４】
記事電子データの要求、取得は、図１０の電子情報表示装置１における処理の流れを示す図に示すように、制御部１０の制御の下に、電子情報表示装置１の通信アプリケーションを起動させ、ブラウザプログラムを起動させて電子情報表示装置１に表示された図示しない初期画面においてダウンロード用ボタンがタッチされて、ホストサーバー７２のＵＲＬを指定し、通信インターフェイス１９を介してホストサーバー７２に記事電子データの配信要求をする（Ｓ２０１）。尚、電子情報表示装置１に電源をいれて立ち上げることにより、操作者の特別な操作による指示入力がなくても、ホストサーバー７２に記事電子データの配信要求をするよう予め設定しておくことも出来る。ホストサーバー７２は電子情報表示装置１からの配信要求を受信し、ホストサーバー７２の記録部に記録されている記事電子データを電子情報表示装置１へ配信する。電子情報表示装置１は、記事電子データを外部インターフェイス部７を介して受信し（Ｓ２０２）、制御部１０の制御の下に入出力部３で入力されて、記録実行手段４２により、記録部５へ記録される（Ｓ２０３）。
【００５５】
全面情報画面６０の表示は、図１１の電子情報表示装置１における処理の流れを示す図に示すように、操作者の操作部６の操作に基づいて、或いは電子データの記録部５への記録後、制御部１０の制御の下に、全面情報データファイル５１から表示処理手段４１が図５に示す新聞の一面の全面表示をする全面情報画面６０を生成して（Ｓ３０１）、表示部２に表示指示を与え、ディスプレイ１３等の表示部２が全面情報画面６０、例えば新聞の一面トップ面を表示する（Ｓ３０２）。全面情報画面６０は、例えば記事のジャンル毎に表示することが出来る。
【００５６】
全面情報画面６０には、図示しない閉じるボタンが表示され、全面情報画面６０の表示維持又は閉じるかの判断を要求し、操作者の操作部６を介した閉じるボタンの押下を表示処理手段４１は判断し（Ｓ３０３）、該閉じるボタンが押下されると、該指示に従って、全面情報画面６０を閉じる（Ｓ３０４）。
【００５７】
更に、全面情報画面６０の表示は、図１２の電子情報表示装置１における処理の流れを示す図に示すように、操作者が、図７に示すように、全面情報画面６０のインデックス表示指示ボタンとしての、図面左上に表示された本マーク９０を操作部６を介してタッチすると、制御部１０の制御の下に、表示処理手段４１がインデックス表示画面９１を生成すると共に、表示部３に表示を指示し、表示部３はインデックス表示画面９１を表示する（Ｓ４０１）。インデックス表示画面９１には、「トップ」「政治」、「経済」、「社会」、「国際」、「スポーツ」、「文化」、「芸能」、「科学」、「環境」、「暮らし」、「地域」、「イベント」、「おすすめ」等様々なジャンルの記事がジャンル毎に区分けられた見出しボタン９１１及び閉じるボタン９１２が表示され、ジャンル毎に構成されたページのページ指定を促す入力を要求する（Ｓ４０２）。インデックス表示画面９１は半透過状に表示して、背後の画面が完全に見えなくなることを防止することが好ましい。
【００５８】
操作者がタッチパネルにタッチして読みたいジャンルの見出しボタン９１１を押下し、所望ジャンルページの全面情報画面６０を選択する操作を行なう。表示処理手段４１は当該ページ指定の操作を判断し（Ｓ４０３）、ページ指定がある場合には、ページ指定を受け付け、全面情報画面６０を生成し、表示部３に表示を指示し、表示部３は指定されたジャンルのページの全面情報画面６０の表示を行なう（Ｓ４０４）。ページ（ジャンル）指定がない場合には、引き続きインデックス表示画面９１を表示し、ページ指定を促す（Ｓ４０２）。尚、閉じるボタン９１２が押下されると、表示処理手段４１は当該操作を判断しインデックス表示画面９１を消す。
【００５９】
全文情報画面７０の表示は、電子情報表示装置１における処理の流れを示す図１３に示すように、制御部１０の制御の下に、全面情報データファイル５１から表示処理手段４１が図６に示す新聞の全面情報表示をする全面情報画面６０を生成して、表示部２に表示指示を与え、ディスプレイ１３等の表示部２が全面情報画面６０を表示する（Ｓ５０１）。尚、この全面情報画面６０の表示は、トップ面のほか経済面等他のジャンルのページの表示画面でもよい。全面情報画面６０を表示することで、全面情報画面６０の記事の領域をポイントすること、全文を読みたい記事の指定の要求を促す（Ｓ５０２）。
【００６０】
操作者は、全文を読みたい記事の領域内をタッチして記事を指定する。表示処理手段４１は記事の指定の有無を判断し（Ｓ５０３）、指定がある場合には、全面情報画面６０の記事毎に区画された領域６００の指定を受け付け、前記領域の指定に従って、前記指定された領域の記事に関連付けられた、記事毎に全文を表示した記事毎の全文情報画面を表示部に表示する。詳しくは、指定された記事の領域の座標値を取得し（Ｓ５０４）、記録部５に記録された全文検索テーブルファイル５３を参照し、取得した座標値と全文検索テーブルファイル５３の座標値とを比較して、取得した座標値に対応した全文記事のファイル名を認識し、該ファイル名の全文情報データを全文情報データファイル５２から検索し、読み出し（Ｓ５０５）、当該ファイル名の全文記事を表示する全文情報画面７０を生成して（Ｓ５０６）、表示部２に表示指示を与え、ディスプレイ１３等の表示部２が当該全文情報画面７０を表示する（Ｓ５０７）。
【００６１】
全文情報画面７０には、図８に示すように、閉じるボタン７０９が表示され、該閉じるボタン７０９が操作者によりタッチされると、表示処理手段４１は当該操作を判断し、表示部２から全文情報画面７０を消し、当該全文情報画面７０の記事が記載されている全面情報画面６０、即ち当該全文情報画面７０を指定したページの画面を表示部２に表示させる。この際、全面情報画面６０に表示された記事のうち、全文情報画面７０で全文が読まれた記事の領域６００の色を替え、或いは反転表示をする等して視覚的に認識可能とすることが好ましい。このようにすることで、重複して記事を読むことがなく、又、該当ジャンル内、即ちページ内でどの程度記事を読むことが出来たかを即座に把握することが出来る。
【００６２】
又、全面情報画面６０又は／及び全文情報画面７０で記載されている当該記事内のキーワード等の予め定められた語句の語句説明を表示することとしてもよい。この場合、記録部５には、語句説明データがキーワードである語句に関連付けられて記録されている。語句説明の表示は、電子情報表示装置１における処理の流れを示す図１５に示すように、制御部１０の制御の下に、語句説明のデータを有する語句は、全面情報画面６０又は／及び全文情報画面において、反転表示や色文字等により認識可能に表示されていることで、語句説明の表示指示の要求を促し（Ｓ６０１）、表示処理手段４１は語句の指定の有無を判断する（Ｓ６０２）。操作者が何れかの語句部分をタッチすることによる指定がある場合には、表示処理手段４１は、指定された語句の説明を行なう図示しない語句説明画面の生成を行い、表示部２に表示させる（Ｓ６０３）。語句説明画面には閉じるボタンがあり、閉じるボタンを操作者がタッチすることで、語句説明画面を閉じる。
【００６３】
このように、記録部５には、語句説明データがキーワードである語句に関連付けられて記録されているので、語句の意味を調べるためにネットワーク７１に接続し、ネットサーフィンをする必要がなく、記事に集中することが出来る。
【００６４】
又、電子情報表示装置１には、文字サイズの変更機能、ふりがなをふる機能、記事中に線を書き込む機能、全面情報画面６０又は／及び全文情報画面７０を印刷する機能、全面情報画面６０又は／及び全文情報画面７０で表示されている写真画像を拡大表示したり、動画像を再生させる機能、記事の検索機能、気に入った記事をマークする機能、気に入った記事をストックする機能、閲覧記事の履歴表示機能等の各種公知の機能を付加して構成することとしてもよい。
【００６５】
このような各種機能を利用する場合、図８に示すように、全面情報画面６０／及び全文情報画面７０の表示において、操作者が、図面右上に表示されたツールボタン８０をタッチすると、表示処理手段４１はツールボックス画面８１を表示する。ツールボックス画面８１には、「文字サイズ」、「ふりがな」、「印刷」、「他の機器に送信」等様々な機能を指定する機能指定ボタン８１０及び閉じるボタン８１１が表示され、機能の実行指定を促す入力を要求する。ツールボックス画面８１は半透過状に表示して、背後の画面が完全に見えなくなることを防止することが好ましい。
【００６６】
操作者がタッチパネルにタッチして実行させたい機能の機能指定ボタン８１０を押下し、機能を選択する操作を行なう。制御部１０の制御のもと、各機能に応じて電子情報表示装置１が備えるプログラム（ソフトウエア）及びプリンタ等のハードウェア資源を利用して、
操作者の操作を判断し、各機能の実行を行なう。機能指定がない場合には、引き続きツールボックス画面８１を表示し、各種機能の実行の指示を促す。尚、閉じるボタン８１１が押タッチされると、表示処理手段４１は当該操作を判断しツールボックス画面８１を消す。
【００６７】
例えば、全面情報画面６０又は／及び全文情報画面７０で記載されている当該記事内の予め定められた漢字のふりがなを表示することとしてもよい。この場合、記録部５には、ふりがなデータが漢字に関連付けられて記録されている。ふりがなの表示は、制御部１０の制御の下に、ふりがなデータを有する漢字は、全面情報画面６０又は／及び全文情報画面７０において、反転表示や色文字等により認識可能に表示されていることで、ふりがなの表示指示の要求を促し、表示処理手段４１は漢字の指定の有無を判断する。操作者が何れかの漢字部分をタッチすることによる指定がある場合には、表示処理手段４１は、指定された漢字のふりがなを、当該漢字の横等に表示部２に表示させる。再度「ふりがな」機能指定ボタン８１０を操作者がタッチすることで、表示処理手段４１は、ふりがなの表示を終わらせる。
【００６８】
このようにふりがなの表示は漢字毎に行なうこととしてもよいが、全面情報画面６０又は／及び全文情報画面７０において表示されている予め定められた漢字、例えば常用漢字以外の漢字の全てに対し、同時にふりがなを表示することとしてもよい。この場合、「ふりがな」機能指定ボタン８１０を操作者がタッチすることによる指定がある場合には、表示処理手段４１は、予め定められた漢字のふりがなを、当該漢字の横等に表示部２に表示させる。この際、表示処理手段４１は、漢字にふりがながふられた別画面を生成して、表示部２に表示させることとしてもよい。
【００６９】
このように、記録部５には、ふりがなデータが予め定められた漢字に関連付けられて記録されているので、ふりがながあったほうがよく、ない場合には読めない人、ないほうが読み易い人等の区別なく、記事を読み易くすることが出来る。
【図面の簡単な説明】
【００７０】
【図１】本発明電子情報表示装置一実施例の構成を示す概略図
【図２】本発明電子情報表示装置をソフトウェアにより実現するためのコンピュータの構成の一例を示すブロック図
【図３】本発明電子情報表示装置を備えた電子情報表示システムの構成概略図
【図４】本発明電子情報表示装置の一実施形態を示す携帯型表示装置を示す図
【図５】全面情報画面の一実施例を示す図
【図６】全文情報画面の一実施例を示す図
【図７】インデックス表示画面を表示した全面情報画面の一実施例を示す図
【図８】ツールボックス画面を表示した全文情報画面の一実施例を示す図
【図９】本発明電子情報表示装置における処理の概略の流れを示す図
【図１０】本発明電子情報表示装置における処理の概略の流れを示す図
【図１１】本発明電子情報表示装置における処理の概略の流れを示す図
【図１２】本発明電子情報表示装置における処理の概略の流れを示す図
【図１３】本発明電子情報表示装置における処理の概略の流れを示す図
【図１４】全文検索テーブルに記録されたデータ
【図１５】本発明電子情報表示装置における処理の概略の流れを示す図
【符号の説明】
【００７１】
１      電子情報表示装置
１０    制御部
２      表示部
３      入出力部
４      処理部
４１    表示処理手段
４２    記録実行手段
５      記録部
５１    全面情報データファイル
５２    全文情報データファイル
６      操作部
６０    全面情報画面
７０    全文情報画面
７      外部インターフェイス部
７１    ネットワーク
１００  記事電子データ配信システム
【図１】
2010165120.tif 000003
【図２】
2010165120.tif 000004
【図３】
2010165120.tif 000005
【図４】
2010165120.tif 000006
【図５】
2010165120.tif 000007
【図６】
2010165120.tif 000008
【図７】
2010165120.tif 000009
【図８】
2010165120.tif 000010
【図９】
2010165120.tif 000011
【図１０】
2010165120.tif 000012
【図１１】
2010165120.tif 000013
【図１２】
2010165120.tif 000014
【図１３】
2010165120.tif 000015
【図１４】
2010165120.tif 000016
【図１５】
2010165120.tif 000017